(57)【特許請求の範囲】
【請求項１】
吸込口と吹出口を連通し形成された送風流路に送風空気を流通させる送風手段を設けた本体と、前記本体に設けた給水タンクから給水される水槽と、加湿フィルター保持具によってその内周が保持されて中空円筒状に形成され、前記水槽の溜水に常に下部を浸し、前記加湿フィルター保持具の水平中心軸によって回転自在に設けられた加湿フィルターとを有した加湿装置であって、前記加湿フィルター保持具は、円環部と、中心部と、前記円環部と前記中心部とを連結する連結部からなり、複数の開口部を有する加湿フィルター保持板が、前記水平中心軸によって複数枚連結された構成とし、前記加湿フィルター保持板の開口部は、角部をＲ形状としたことを特徴とする加湿装置。
【請求項２】
吸込口と吹出口を連通し形成された送風流路に送風空気を流通させる送風手段を設けた本体と、前記本体に設けた給水タンクから給水される水槽と、加湿フィルター保持具によってその内周が保持されて中空円筒状に形成され、前記水槽の溜水に常に下部を浸し、前記加湿フィルター保持具の水平中心軸によって回転自在に設けられた加湿フィルターとを有した加湿装置であって、前記加湿フィルター保持具は、円環部と、中心部と、前記円環部と前記中心部とを連結する連結部からなり、複数の開口部を有する加湿フィルター保持板が、前記水平中心軸によって複数枚連結された構成とし、前記加湿フィルターは、繊維束によって格子状に形成されたシート状のフィルター素材の両端部を接合して中空円筒状に形成され、前記加湿フィルター保持板は、前記円環部外周に前記加湿フィルターの接合部を納めるための凹部を有していることを特徴とする加湿装置。
【請求項３】
吸込口と吹出口を連通し形成された送風流路に送風空気を流通させる送風手段を設けた本体と、前記本体に設けた給水タンクから給水される水槽と、加湿フィルター保持具によってその内周が保持されて中空円筒状に形成され、前記水槽の溜水に常に下部を浸し、前記加湿フィルター保持具の水平中心軸によって回転自在に設けられた加湿フィルターとを有した加湿装置であって、前記加湿フィルター保持具は、円環部と、中心部と、前記円環部と前記中心部とを連結する連結部からなり、複数の開口部を有する加湿フィルター保持板が、前記水平中心軸によって複数枚連結された構成とし、前記加湿フィルター保持板は、前記円環部外周に外方に開口した複数の溝部を有していることを特徴とする加湿装置。
【請求項４】
吸込口と吹出口を連通し形成された送風流路に送風空気を流通させる送風手段を設けた本体と、前記本体に設けた給水タンクから給水される水槽と、加湿フィルター保持具によってその内周が保持されて中空円筒状に形成され、前記水槽の溜水に常に下部を浸し、前記加湿フィルター保持具の水平中心軸によって回転自在に設けられた加湿フィルターとを有した加湿装置であって、前記加湿フィルター保持具は、円環部と、中心部と、前記円環部と前記中心部とを連結する連結部からなり、複数の開口部を有する加湿フィルター保持板が、前記水平中心軸によって複数枚連結された構成とし、前記加湿フィルター保持板と、前記水平中心軸の接合部はＲ形状を有することを特徴とする加湿装置。
【請求項５】
吸込口と吹出口を連通し形成された送風流路に送風空気を流通させる送風手段を設けた本体と、前記本体に設けた給水タンクから給水される水槽と、加湿フィルター保持具によってその内周が保持されて中空円筒状に形成され、前記水槽の溜水に常に下部を浸し、前記加湿フィルター保持具の水平中心軸によって回転自在に設けられた加湿フィルターとを有した加湿装置であって、前記加湿フィルター保持具は、円環部と、中心部と、前記円環部と前記中心部とを連結する連結部からなり、複数の開口部を有する加湿フィルター保持板が、前記水平中心軸によって複数枚連結された構成とし、前記複数の加湿フィルター保持板は、前記加湿フィルターを取り外す方向に従い、順次外径が小さくなっていくことを特徴とする加湿装置。
【発明の詳細な説明】
【技術分野】
【０００１】
本発明は、水槽に一部を浸した加湿フィルターに通風して加湿する気化式の加湿装置に関するものである。
【背景技術】
【０００２】
従来、この種の加湿装置の一例として、加湿フィルターを円筒形状とし回転させることで、加湿フィルターの全部位が溜水内に浸水することを特徴とする加湿装置が知られている（例えば、特許文献１参照）。
【０００３】
特許文献１に記載の加湿装置は、吸込口と吹出口を連通して形成される送風流路に送風空気を流通させる送風機を設けた本体と、この送風機の下流側に設けた水タンクから給水される貯水部と、貯水部の溜水に常に下方の一部を浸した状態に設けられた円筒形状の加湿フィルターとで構成されている。そして、加湿フィルターは、複数枚の円板をこれらの中心部で水平中心軸により連結して形成したフィルター枠により内周部が支持されて円筒形状をなし、回転自在に送風流路に保持されて、回転機構でフィルター枠を回転させることにより、水平方向を回転中心軸として回転するように構成されている。
【０００４】
このような構成により、加湿フィルターが回転機構によって回転することで、加湿フィルターの全表面が溜水を通過して水分を帯びた状態となる。そして、送風機による送風空気が加湿フィルターを通過する際に、加湿フィルターに付着した水分を気化することで送風空気が高湿状態となり、加湿された空気が吹出口より室内に放出される。
【先行技術文献】
【特許文献】
【０００５】
【特許文献１】特開２００８−１１６１５９号公報（第８−９頁、第３図）
【発明の概要】
【発明が解決しようとする課題】
【０００６】
このような従来の加湿装置においては、フィルター枠は円板間の通気抵抗が増大しないように加湿フィルターが円筒形状を保持できる最低限の枚数としているので円板の間隔が広く、さらに、この円筒形状の保持のための円板の必要枚数は初期状態で設定している。
【０００７】
そして、加湿フィルターは送風機の下流側に配設しているが、加湿フィルターにおける通風路の気密性を向上させるために加湿フィルターを送風機の上流側に配設するような構成にすると、加湿フィルターの内部が負圧となり、円板間が広いので円板間の加湿フィルターが内側に変形していき、全体的に凹凸が生じ、加湿装置の長期運転に伴ってその形状のまま固化してしまい、結果として、お手入れなどの際、使用者がフィルター枠から加湿フィルターを取り外しにくくなってしまうという課題を有していた。
【０００８】
そこで本発明は、上記従来の課題を解決するものであり、加湿フィルターにおける通気抵抗の増大を生じない構成であって、加湿装置を長期運転しても、加湿フィルターの形状に凹凸が生じない安定した形状を維持することができ、加湿フィルターが取り外しやすくなり、使用者にとってお手入れの容易な加湿装置を提供することを目的とする。
【課題を解決するための手段】
【０００９】
そして、この目的を達成するために、加湿フィルター保持具は、円環部と、中心部と、前記円環部と前記中心部とを連結する連結部からなり、複数の開口部を有する加湿フィルター保持板が、加湿フィルターの水平中心軸によって複数枚連結された構成とし、前記加湿フィルター保持板の開口部は、角部をＲ形状としたものであり、これにより所期の目的を達成するものである。
【発明の効果】
【００１０】
本発明によれば、加湿フィルター保持具は、複数の開口部を有する加湿フィルター保持板を、加湿フィルターの回転水平中心軸によって複数枚連結された構成としたことで、加湿フィルター保持板間の通気抵抗が小さくなり、加湿フィルター保持板の間隔を狭くして配設することができるので、加湿装置を長期運転しても加湿フィルターは安定した形状を維持でき、使用者にとってお手入れが容易になり、加湿フィルター保持板の開口部は、角部にＲ形状を有しているものであり、加湿フィルター保持具にスケールが付着しにくくなり、多少付着しても落としやすくなるので、使用者がお手入れに要する手間が少なくなるという効果を得ることができる。
【図面の簡単な説明】
【００１１】
【図１】本発明の実施の形態１の加湿装置を示す斜視図
【図２】同加湿装置の斜視断面を示す図
【図３】同加湿装置の正面視断面を示す図
【図４】同加湿装置の加湿フィルターの保持方法を示す斜視図
【図５】同加湿装置の加湿フィルター保持具の断面を示す図
【図６】本発明の実施の形態２の加湿装置の加湿フィルター保持具を示す斜視図
【図７】本発明の実施の形態３の加湿装置の加湿フィルター保持具を示す正面図
【発明を実施するための形態】
【００１３】
本発明の加湿装置は、吸込口と吹出口を連通し形成された送風流路に送風空気を流通させる送風手段を設けた本体と、前記本体に設けた給水タンクから給水される水槽と、加湿フィルター保持具によってその内周が保持されて中空円筒状に形成され、前記水槽の溜水に常に下部を浸し、前記加湿フィルター保持具の水平中心軸によって回転自在に設けられた加湿フィルターとを有した加湿装置であって、前記加湿フィルター保持具は、円環部と、中心部と、前記円環部と前記中心部とを連結する連結部からなり、複数の開口部を有する加湿フィルター保持板が、前記水平中心軸によって複数枚連結された構成としたものであり、加湿フィルター保持板が複数の開口部を有するので、加湿フィルター保持板に沿う通風流の通気抵抗が小さくなって、加湿フィルター保持板間の通気抵抗が小さくなり、加湿フィルター保持板の間隔を狭くして配設することができるので、加湿装置を長期運転しても加湿フィルターの安定した形状を維持することができて、加湿フィルターを加湿フィルター保持具から容易に取り外すことができ、使用者にとってお手入れを容易に行うことができるという効果を奏し、前記加湿フィルター保持板の開口部は、角部にＲ形状を有しているものであり、加湿フィルター保持具にスケールが付着しにくくなり、多少付着しても落としやすくなるので、使用者がお手入れに要する手間が少なくなる。
【００１５】
本発明の加湿装置は、吸込口と吹出口を連通し形成された送風流路に送風空気を流通させる送風手段を設けた本体と、前記本体に設けた給水タンクから給水される水槽と、加湿フィルター保持具によってその内周が保持されて中空円筒状に形成され、前記水槽の溜水に常に下部を浸し、前記加湿フィルター保持具の水平中心軸によって回転自在に設けられた加湿フィルターとを有した加湿装置であって、前記加湿フィルター保持具は、円環部と、中心部と、前記円環部と前記中心部とを連結する連結部からなり、複数の開口部を有する加湿フィルター保持板が、前記水平中心軸によって複数枚連結された構成としたものであり、加湿フィルター保持板が複数の開口部を有するので、加湿フィルター保持板に沿う通風流の通気抵抗が小さくなって、加湿フィルター保持板間の通気抵抗が小さくなり、加湿フィルター保持板の間隔を狭くして配設することができるので、加湿装置を長期運転しても加湿フィルターの安定した形状を維持することができて、加湿フィルターを加湿フィルター保持具から容易に取り外すことができ、使用者にとってお手入れを容易に行うことができるという効果を奏し、前記加湿フィルターは、繊維束によって格子状に形成されたシート状のフィルター素材の両端部を接合して中空円筒状に形成され、前記加湿フィルター保持板は、前記円環部外周に前記加湿フィルターの接合部を納めるための凹部を有しているというものであり、加湿フィルターの接合部を加湿フィルター保持具の凹部に納めることができるので、加湿フィルターの形状を外周部に凸状のない、より安定した形状にさせることができ、また加湿フィルターが加湿フィルター保持具に対して固定されず、回ってしまう現象を防ぐための、回り止めとしての効果もある。
【００１６】
本発明の加湿装置は、吸込口と吹出口を連通し形成された送風流路に送風空気を流通させる送風手段を設けた本体と、前記本体に設けた給水タンクから給水される水槽と、加湿フィルター保持具によってその内周が保持されて中空円筒状に形成され、前記水槽の溜水に常に下部を浸し、前記加湿フィルター保持具の水平中心軸によって回転自在に設けられた加湿フィルターとを有した加湿装置であって、前記加湿フィルター保持具は、円環部と、中心部と、前記円環部と前記中心部とを連結する連結部からなり、複数の開口部を有する加湿フィルター保持板が、前記水平中心軸によって複数枚連結された構成としたものであり、加湿フィルター保持板が複数の開口部を有するので、加湿フィルター保持板に沿う通風流の通気抵抗が小さくなって、加湿フィルター保持板間の通気抵抗が小さくなり、加湿フィルター保持板の間隔を狭くして配設することができるので、加湿装置を長期運転しても加湿フィルターの安定した形状を維持することができて、加湿フィルターを加湿フィルター保持具から容易に取り外すことができ、使用者にとってお手入れを容易に行うことができるという効果を奏し、前記加湿フィルター保持板は、前記円環部外周に外方に開口した複数の溝部を有しているものであり、長期運転に伴う加湿フィルターの若干の変形を、溝部に納まり水平中心軸方向に延びる変形に導くことにより、加湿フィルターが加湿フィルター保持具からさらに取り外しやすくなるので、使用者がお手入れに要する手間がさらに少なくなる。
【００１８】
本発明の加湿装置は、吸込口と吹出口を連通し形成された送風流路に送風空気を流通させる送風手段を設けた本体と、前記本体に設けた給水タンクから給水される水槽と、加湿フィルター保持具によってその内周が保持されて中空円筒状に形成され、前記水槽の溜水に常に下部を浸し、前記加湿フィルター保持具の水平中心軸によって回転自在に設けられた加湿フィルターとを有した加湿装置であって、前記加湿フィルター保持具は、円環部と、中心部と、前記円環部と前記中心部とを連結する連結部からなり、複数の開口部を有する加湿フィルター保持板が、前記水平中心軸によって複数枚連結された構成としたものであり、加湿フィルター保持板が複数の開口部を有するので、加湿フィルター保持板に沿う通風流の通気抵抗が小さくなって、加湿フィルター保持板間の通気抵抗が小さくなり、加湿フィルター保持板の間隔を狭くして配設することができるので、加湿装置を長期運転しても加湿フィルターの安定した形状を維持することができて、加湿フィルターを加湿フィルター保持具から容易に取り外すことができ、使用者にとってお手入れを容易に行うことができるという効果を奏し、前記加湿フィルター保持板と、前記水平中心軸の接合部はＲ形状を有するものであり、加湿フィルター保持具にスケールが付着しにくくなり、多少付着しても落としやすくなるので、使用者がお手入れに要する手間が少なくなる。
【００２０】
本発明の加湿装置は、吸込口と吹出口を連通し形成された送風流路に送風空気を流通させる送風手段を設けた本体と、前記本体に設けた給水タンクから給水される水槽と、加湿フィルター保持具によってその内周が保持されて中空円筒状に形成され、前記水槽の溜水に常に下部を浸し、前記加湿フィルター保持具の水平中心軸によって回転自在に設けられた加湿フィルターとを有した加湿装置であって、前記加湿フィルター保持具は、円環部と、中心部と、前記円環部と前記中心部とを連結する連結部からなり、複数の開口部を有する加湿フィルター保持板が、前記水平中心軸によって複数枚連結された構成としたものであり、加湿フィルター保持板が複数の開口部を有するので、加湿フィルター保持板に沿う通風流の通気抵抗が小さくなって、加湿フィルター保持板間の通気抵抗が小さくなり、加湿フィルター保持板の間隔を狭くして配設することができるので、加湿装置を長期運転しても加湿フィルターの安定した形状を維持することができて、加湿フィルターを加湿フィルター保持具から容易に取り外すことができ、使用者にとってお手入れを容易に行うことができるという効果を奏し、前記加湿フィルター保持板は、前記加湿フィルターを取り外す方向に従い、順次外径が小さくなっていくという構成にしたものであり、加湿フィルター保持具から、加湿フィルターを取り外しやすくなるので、使用者がお手入れに要する手間がいっそう少なくなる。
【００２２】
以下、本発明の実施の形態について図１〜７を参照しながら説明する。
【００２３】
（実施の形態１）
図１〜図３に示すように、加湿装置の本体５は、背面に吸込口１と天面に吹出口２を有し、内部に吸込口１と吹出口２を連通して形成された送風流路３に送風手段４を設けている。そして、送風手段４の上流側の送風流路３に、吸込口１に連通させて着脱可能に設けた給水タンク６及び給水タンク６から給水される水槽７と、水槽７の溜水に下部を浸した状態で設けられた加湿フィルター８と、加湿フィルター８を回転駆動する回転モーター９とを備えている。
【００２４】
そして、加湿フィルター８は、繊維束によって格子状の開口を連設した状態に形成したシート状のフィルター素材を、その両端部を接合して筒状に形成され、その内周が加湿フィルター保持具１０により保持されて中空円筒状を形成している。
【００２５】
加湿フィルター保持具１０は、図３〜図５に示すように、円環部１１ａと、中心部１１ｂと、円環部１１ａと中心部１１ｂを連結する幅狭の連結部１１ｃとからなり、これら円環部１１ａ、中心部１１ｂ、連結部１１ｃによって囲み形成される開口部１１ｄを複数有した加湿フィルター保持板１１を、送風手段４の通風流に沿う方向に複数枚並べ、複数枚の加湿フィルター保持板１１を、その中心部で水平中心軸１２により連結して形成されている。
【００２６】
ここで、加湿フィルター保持板１１の枚数は、後述する理由により、従来の加湿装置におけるフィルター枠の円板の枚数より多くしている。
【００２７】
また、加湿フィルター保持具１０は、材料としてＡＢＳやＰＯＭ等の樹脂が一般的に挙げられるが、実施の形態１ではステンレスを採用している。
【００２８】
そして、加湿フィルター保持板１１は、複数の開口部１１ｄを円周方向に対して等間隔に配設している。また、隣り合った加湿フィルター保持板１１の開口部１１ｄは、互いに対向する位置に形成されている。
【００２９】
また、開口部１１ｄは、その角部をＲ形状としている。
【００３０】
また、加湿フィルター保持板１１の外周部には、外方に開口し、加湿フィルター８の加湿フィルター接合部８ａを納める凹部１１ｅと、複数の溝部１１ｆを有している。
【００３１】
そして、水平中心軸１２は、円柱形状を有しているとともに、加湿フィルター保持板１１との接合部がＲ形状を有している（図示せず）。
【００３２】
上記構成により、加湿装置を運転して加湿フィルター８を回転モーター９により回転すると、加湿フィルター８の全表面が溜水を通過することで水分を帯びた状態となる。そして、送風手段４によって吸込口１より送風流路３内へ通風される送風空気が加湿フィルター８を通過する際に、加湿フィルター８に付着した水分を気化することで送風空気が高湿状態となり、吹出口２から室内に加湿された空気が供給されることとなる。
【００３３】
ここで、加湿フィルター保持板１１は、円環部１１ａの外周に加湿フィルター接合部８ａを納めるための凹部１１ｅを有していることより、加湿フィルター８の形状を外周部に凸状のない、より安定した形状にさせることができ、さらに、加湿フィルター８が加湿フィルター保持具１０に対して空回りしてしまうことを阻止できるので、加湿フィルター保持具１０に対して加湿フィルター８がしっかりと固定されることとなる。これにより、加湿装置は加湿された空気をより安定的に室内に供給できることとなる。
【００３４】
そして、加湿フィルター保持板１１に複数の開口部１１ｄが形成されているので、従来の加湿装置におけるフィルター枠の円板に対し、加湿フィルター保持板１１間の通気抵抗が減少することとなるので、加湿フィルター保持板１１の間隔をより狭くして、枚数を多く配設することができる。
【００３５】
また、加湿フィルター保持板１１の開口部１１ｄは、円周方向に対して等間隔に配設され、また、隣り合った加湿フィルター保持板１１の開口部１１ｄは、互いに対向する位置に形成されているので、通風流は、複数の開口部と等間隔ですれ違うように流れ、加湿フィルター保持板１１に乱れずに沿うスムーズな流れとなり、加湿フィルター保持板１１間の通気抵抗がさらに減少することとなるため、加湿フィルター保持板１１の間隔をさらに狭くして、枚数を多くすることができるので、加湿フィルター８の形状がさらに安定し、使用者のお手入れがさらに容易になる。
【００３６】
ところで、加湿装置は、運転を継続すると、加湿フィルター８が吸水する水槽７内の水に含まれるカルシウム、マグネシウム等が堆積してなるスケールが加湿フィルター８に付着していく。
【００３７】
一方、加湿フィルター８は、送風手段４の上流側に位置するため、内部が負圧となり、内部に引かれる方向に力を受けるが、加湿フィルター保持板１１が加湿フィルター８の加湿フィルター保持板１１に沿う方向への変形を抑制する間隔で多数枚が水平中心軸１２方向に並設されているので、変形を抑制でき、円筒形状を安定して維持することができる。
【００３８】
そして、加湿フィルター８に付着したスケールは、運転が継続されるとともに徐々に硬化していくが、加湿フィルター８は円筒形状を維持して硬化していくこととなる。
【００３９】
さらに、加湿フィルター保持板１１の溝部１１ｆにより、加湿フィルター８の変形を水平中心軸１２方向の変形に導くことで、上記の負圧による加湿フィルター８の加湿フィルター保持板１１に沿う方向への変形を抑制することができるため、加湿フィルター８が硬化した後でも、加湿フィルター保持具１０は、加湿フィルター８から大きな抵抗なく引き出すことができる。
【００４０】
そして、所定期間運転をすると、使用者は加湿フィルター８を本体５から取り出してスケール等を除去するお手入れをすることとなり、加湿フィルター８から加湿フィルター保持具１０を引き出すこととなるが、加湿フィルター８はほぼ円筒形状を維持し、また加湿フィルター保持板１１の凹部１１ｅに加湿フィルター接合部８ａが収まっているとともに、若干の変形が溝部１１ｆに発生するようにしているので、加湿フィルター保持具１０は、加湿フィルター８から大きな抵抗なく引き出すことができる。
【００４１】
そして、加湿フィルター８に付着せずに通過したカルシウム、マグネシウム等は、加湿フィルター保持具１０の内部に侵入していくが、加湿フィルター保持具１０は材料にステンレスを採用しているため、スケールとして付着しにくく、多少付着したとしても簡単なお手入れで容易に除去できる。さらに、強度も高いため、使用者が強くこすり洗いをすることができる。
【００４２】
また、加湿フィルター保持板１１の開口部１１ｄの角部はＲ形状を有しているので、スケールが付着しにくく、また、多少付着したとしても簡単なお手入れで容易に除去することができる。とくに、図５に示すように、通風流が対向する箇所に位置してスケールが付着しやすい中心部１１ｂ側の角部をＲ形状にすることで、その効果が顕著なものとなる。
【００４３】
そして、さらに長期使用すると、加湿フィルター保持具１０のさらに内部にまでスケールが付着していくが、水平中心軸１２が円柱形状を有しているとともに、加湿フィルター保持板１１との接合部がＲ形状を有しているので、スケールが付着しにくく、また、多少付着したとしても簡単なお手入れで容易に除去することができる。
【００４４】
このように、加湿フィルター保持具１０の清掃も容易に行うことができるようになる。
【００４５】
（実施の形態２）
また、実施の形態２の加湿装置は、図６に示すように、上記実施の形態１の加湿装置に対し、加湿フィルター保持具１０Ａは水平中心軸１２Ａ方向に複数個に分割可能であることを特徴とする。
【００４６】
なお、分割・再組立の手段は、種々の手段が考えられるが、周知の螺合、回動による脱着等で可能である。
【００４７】
上記構成により、加湿フィルター保持具１０Ａを加湿フィルター８から大きな抵抗なく引き出すことができ、また、分割可能としたことで、加湿フィルター保持具１０Ａの内部に容易に手が届くようになるので、使用者は加湿フィルター保持具１０Ａの内部までにわたるお手入れが容易に行えるようになる。
【００４８】
（実施の形態３）
また、実施の形態３の加湿装置は、図７に示すように、上記実施の形態１の加湿装置に対し、加湿フィルター保持板１１Ａが加湿フィルター８（図示せず）を引き出す方向に従い順次外径が小さくなっていき、加湿フィルター保持具１０Ｂの外周がテーパー形状となっていることを特徴とする。
【００４９】
上記構成により、加湿フィルター保持具１０Ｂを、加湿フィルター８から大きな抵抗なく取り外しやすくなるので、使用者がお手入れに要する手間がいっそう少なくなる。
【産業上の利用可能性】
【００５０】
本発明に係る加湿装置は、使用者がお手入れの際に、加湿フィルターを容易に取り外して、お手入れできるという効果を有し、水槽の溜水に筒状の加湿フィルターを浸す方式の気化式加湿装置に有用である。
【符号の説明】
【００５１】
１      吸込口
２      吹出口
３      送風流路
４      送風手段
５      本体
６      給水タンク
７      水槽
８      加湿フィルター
８ａ    加湿フィルター接合部
１０    加湿フィルター保持具
１０Ａ  加湿フィルター保持具
１０Ｂ  加湿フィルター保持具
１１    加湿フィルター保持板
１１Ａ  加湿フィルター保持板
１１ａ  円環部
１１ｂ  中心部
１１ｃ  連結部
１１ｄ  開口部
１１ｅ  凹部
１１ｆ  溝部
１２    水平中心軸
１２Ａ  水平中心軸
【図１】
0005556333.tif 000002
【図２】
0005556333.tif 000003
【図３】
0005556333.tif 000004
【図４】
0005556333.tif 000005
【図５】
0005556333.tif 000006
【図６】
0005556333.tif 000007
【図７】
0005556333.tif 000008